(57)【要約】【課題】  吸収体への排泄物の吸収スピードを向上させて、さらっと感を向上させると共に、カブレ及び横漏れの発生を防止した吸収性物品を提供することにある。【解決手段】  少なくとも表面側に配置される親水性不織布と、裏面側に配置されるバックシートと、これらの間に介在された吸収体とにより物品本体が構成されて成る吸収性物品において、親水性不織布の表面で、かつ少なくとも物品本体の腹部側領域の略中央部に、断面形状が略逆台形状の複数の開口が設けられた撥水性の開口シートを貼り合わせる。【選択図】図１
2006204761.tif 000002
【特許請求の範囲】
【請求項１】
少なくとも表面側に配置される親水性不織布と、裏面側に配置されるバックシートと、これらの間に介在される吸収体とにより物品本体が構成されて成る吸収性物品において、前記親水性不織布の表面で、かつ少なくとも前記物品本体の腹部側領域の略中央部に複数の開口が設けられた開口シートを貼り合わせたことを特徴とする吸収性物品。
【請求項２】
前記開口シートは撥水性を有する材料から成ることを特徴とする請求項１に記載の吸収性物品。
【請求項３】
前記開口は、断面形状が略逆台形状であることを特徴とする請求項１又は請求項２に記載の吸収性物品。
【発明の詳細な説明】
【技術分野】
【０００１】
本発明は、紙おむつ、失禁パッド等の吸収性物品に関し、さらに詳細には体液の吸収スピードを向上させて、さらっと感を向上させた吸収性物品に関する。
【背景技術】
【０００２】
紙おむつ等の吸収性物品は、通常、少なくとも肌当接面側に配置される透液性の表面材（トップシート等）と、裏面側に配置される不透液性の裏面材（バックシート等）と、これらの表裏面材間に介在された吸収体とにより物品本体が構成されており、排泄物が表面材を介して吸収体に移行され、吸収・保持されるようになっている。
【０００３】
近年、このような吸収性物品として、例えば排泄物、特に便の吸収体への移行を促進することを目的として、表面に開口が設けられた不織布（以下、「開口シート」と言う。）が配設された吸収性物品が提案されている。
【０００４】
しかし、このような開口シートは、吸収性物品のさらっと感を向上させる目的で配設されたものではなく、親水性を有するシートであったため液持ちをし、特に尿や軟便等の水分（以下、単に「体液」と言う。）が吸収体へ吸収されず、物品本体の表面に逆戻りしたり、保水し、これによりカブレが発生するという問題があった。なお、本発明におけるさらっと感とは、体液の吸収速度が速く、シートの濡れた部分が保水することなく、さらっとした肌触り感を有することを意味する。
【０００５】
そこで、開口シートを撥水性を有するものにすると、特に使用者の排尿スピードが速かったり、排尿量が多い場合、体液が開口シートに保持されてしまい、吸収体に移行しにくくなる。このため体液が物品本体の表面に広がり、液流れを起こしてしまい、横漏れが発生するという問題があった。
【発明の開示】
【発明が解決しようとする課題】
【０００６】
本発明は上述したような実情に鑑みてなされたもので、その目的とするところは、吸収体への排泄物の吸収スピードを向上させて、さらっと感を向上させると共に、カブレ及び横漏れの発生を防止した吸収性物品を提供することにある。
【課題を解決するための手段】
【０００７】
本発明の上記目的は、少なくとも表面側に配置される親水性不織布と、裏面側に配置されるバックシートと、これらの間に介在される吸収体とにより物品本体が構成されて成る吸収性物品において、前記親水性不織布の表面で、かつ少なくとも前記物品本体の腹部側領域の略中央部に複数の開口が設けられた開口シートを貼り合わせたことを特徴とする吸収性物品を提供することによって達成される。
【０００８】
また、本発明の上記目的は、前記開口シートは撥水性を有する材料から成ることを特徴とする吸収性物品を提供することによって、効果的に達成される。
【０００９】
さらにまた、本発明の上記目的は、前記開口は、断面形状が略逆台形状であることを特徴とする吸収性物品を提供することによって、より効果的に達成される。
【発明の効果】
【００１０】
本発明に係る吸収性物品によれば、親水性を有する不織布の表面で、かつ少なくとも物品本体の腹部側領域の略中央部に複数の開口が設けられた開口シートを配設して成るので、排尿口付近における体液の吸収スピードを上げることができ、体液が物品本体の表面に保水することがなくなる。従って、排尿口付近のさらっと感を向上させることができ、カブレの発生を防止することができる。また、使用者の排尿スピードが速かったり、排泄量が多くても、横漏れの発生を防止することができる。また、特に吸収性物品の廃棄時において、見た目から与えられる不快感を減少させることができる。
【００１１】
また、開口シートを撥水性を有する材料で構成したので、開口シートが液持ちしにくくなり、さらっと感をより向上させることができる。
【００１２】
さらにまた、開口シートに設けられた開口の断面形状を略逆台形状としたので、一旦開口シートを通過し、親水性不織布に移行した体液が逆戻りしにくくなり、さらっと感をより向上させることができるとともに、カブレの発生をより防止することができる。
【発明を実施するための最良の形態】
【００１３】
以下、本発明に係る吸収性物品について、吸収性物品が使い捨てのテープ式あるいはパンツ型おむつである場合を例に、図面を参照しながら詳細に説明する。なお、本発明は必ずしも以下の実施形態に限定されるものではなく、特許請求の範囲を逸脱しない範囲において、その構成を適宜変更できるものであることはいうまでもない。
【００１４】
図１は、本発明に係る吸収性物品の第１実施形態である使い捨てのテープ式おむつ（以下、「本おむつ」と言う。）１０を展開して表面側から見た一部破断平面図であり、図２は本おむつ１０の使用時における斜視図であり、図３は図１のＡ−Ａ断面図であり、さらにまた図４は図１のＢ−Ｂ断面図である。
【００１５】
図示するように、本おむつ１０は、表面側（肌当接面側）に配置される親水性不織布から成るトップシート１１と、裏面側（非肌当接面側）に配置されるバックシート１２と、これらの両シート１１，１２間に介在された吸収体１３とによりおむつ本体１４が構成されており、矩形状の開口シート１５が、トップシート１１の表面で、かつおむつ本体１４の幅方向における中央部に長手方向に延びて貼り合わされている。
【００１６】
おむつ本体１４は、平面形状が略砂時計形状とされ、吸収体１３の両側縁長手方向には、表面側に設けられたギャザーシート１６と、その内側端縁に沿って配設された弾性伸縮部材１７ｇとにより、表面側に起立する立体ギャザー１８が形成されている。また、吸収体１３の側縁よりも側方に延在されたバックシート１２部分と、ギャザーシート１６の外側シート部分とにより吸収体１３の介在しないサイドフラップ部１０ＳＦが形成され、かつこれらの間に複数本の脚回り用弾性伸縮部材１７ｌがおむつ本体１４に沿って長手方向に配置されていることにより、サイドフラップ部１０ＳＦにはひだ状の平面ギャザー１９が形成されている。
【００１７】
また、本おむつ１０の腹部側領域１０ＦＰ及び背部側領域１０ＢＰの幅方向には、夫々複数本の腰回り用弾性伸縮部材１７ｗが配設され、これによりエンドフラップ部１０ＥＦが形成されている。また、おむつ本体１４の背部側領域１０ＢＰにおける左右の張り出し部、すなわちサイドパネル部１０ＳＰの幅方向端部には、オス材２０を備えたファスニングテープ２１が連結されている。さらにまた、裏面側の腹部側領域１０ＦＰ、すなわち腹部側領域１０ＦＰのバックシート１２側には、表面にメス材２２を有する矩形状のフロンタルテープ２３が貼着されており、図２に示すように、ファスニングテープ２１のオス材２０が、このフロンタルテープ２３のメス材２２とメカニカルに係合することにより本おむつ１０が着用される。なお、フロンタルテープ２３の表面には、必要に応じ、ファスニングテープ２１の止着位置を表示した止着位置マークや幼児が好む動物等の絵柄から成るデザインが施されている。
【００１８】
なお、本おむつ１０では、バックシート１２と吸収体１３との間に防水フィルム２４が配設されているが、この防水フィルム２４は、トップシート１１と吸収体１３との間に配設されるセカンドシートの場合と同様に、必要に応じ適宜設けられるものである（なお、本おむつ１０ではこのセカンドシートは配設されていない。）。
【００１９】
トップシート１１の構成材料としては、親水性の高い不織布であれば、特に限定されるものではなく、無孔または有孔の不織布や多孔性プラスチックシート等の親水性材料が好ましく用いられる。このような不織布を構成する素材繊維としては、例えばポリエチレンまたはポリプロピレン等のオレフィン系、ポリエステル系、アミド系等の合成繊維の他、レーヨンやキュプラ等の再生繊維、綿等の天然繊維とすることができる。また、融点の高い繊維を芯とし、融点の低い繊維を鞘とした芯鞘型繊維やサイド・バイ・サイド型繊維、分割型繊維等の複合繊維も効果的に用いることができる。加工法については、スパンレース法、スパンボンド法、サーマルボンド法、メルトブローン法、ニードルパンチ法等の適宜な加工方法で得られた不織布を用いることができる。これらの加工法のうち、スパンレース法は柔軟性、ドレープ性に富む点で優れ、サーマルボンド法は嵩高でソフトである点で優れているが、本おむつ１０におけるトップシート１１は、必ずしもこれらの材料ないし加工法に限定されるものではない。しかしながら、本おむつ１０の場合、図示するようにトップシート１１の左右両側部が使用者の肌に直接触れるため、柔軟性があり、表面が滑らかな不織布を用いることが肌触り感の観点からより好ましい。
【００２０】
バックシート１２及び防水フィルム２４には、ポリエチレン、ポリプロピレン等のプラスチックシートや不織布等から成る不透液性材料、またはこれと同等の材料が好ましく用いられる。この他、例えばポリプロピレンまたはポリオレフィンコポリマーから成るメルトブローンまたはフィルム材料が挙げられる。コポリマーの例としては、エチレン・ビニル・アセテート、エチレン・メチル・アセテート、エチレン・エチル・アクリレート、ポリビニル・クロライド等がある。また、上記各材料から成る単一のスパンボンディッド層、スパンボンディッド及びメルトブローン材料から成る２つの層等が挙げられる。このようなスパンボンディッド材料を用いることによりバックシート１２に布状の手触り感を与えることができる。なお、バックシート１２の材料には、不透液性を有する材料以外に、ムレ防止等の観点から通気性、透湿性を有するシート材料が適用される。このようなシート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。このように不透液性、通気性、透湿性を有するシート材料は特に防水フィルム２４に好適に用いられる。
【００２１】
吸収体１３としては、排泄物、特に体液を吸収・保持し得るものであればよく、通常はフラッフ状パルプ中に吸収性ポリマー粉末を混在したものが吸収機能及び製造コストの点から好適に用いられる。このパルプとしては、木材から得られる化学パルプ、溶融パルプ等のセルロース繊維や、レーヨン、アセテート等の人工セルロース繊維から成るものが挙げられ、広葉樹パルプよりは繊維長の長い針葉樹パルプの方が機能及び製造コストの面で好適に用いられる。
【００２２】
また、本おむつ１０における吸収体１３は、形状保持、及び、排泄物（特に体液）を速やかに拡散させると共に、一旦吸収した排泄物の逆戻りを防止する目的で全体がクレープ紙等の吸水紙２５によって被包されているが、おむつ自体の目的や用途により、この吸水紙２５は省略することができる。
【００２３】
また、本おむつ１０における吸収体１３は、平面形状がおむつ本体１４と同様に擬似砂時計形状に形成されているが、小判型あるいは瓢箪型等、任意の形状に適宜設計変更することもできる。さらにまた、吸収体１３の臀部当接部に、排泄物（特に便の固形分）を収納保持する目的で、凹状等の開口部を設けて便ポケット（図示せず）が形成されていても良い。
【００２４】
図示するように、本おむつ１０は、おむつ本体１４の幅方向における中央部の親水性不織布から成るトップシート１１の表面に、長手方向に延びて、矩形状の開口シート１５が貼り合わされて表面シート２６が形成されて、構成されている。
【００２５】
おむつを装着した際のカブレの発生箇所は、主に体液が流れ、肌が最も排泄物でぬれ易い領域である排尿口付近である。本おむつ１０は、この排尿口付近を含む体液が流れる領域、すなわちおむつ本体１４の幅方向における中央部に、開口シート１５が長手方向に延びて配設されているので、排尿口付近及び体液が流れる領域の体液吸収スピードを上げることができる。従って、体液が保水することがなくなり、排尿口付近のさらっと感を向上させることができ、カブレの発生を減少させることができ、さらに体液の横漏れの発生をより減少させることができる。
【００２６】
開口シート１５の構成材料としては、表面摩擦が少なく、ふんわり感があり、表面素材として用いることができるものであれば、特に限定されるものではなく、例えば不織布や、フィルム、さらには不織布及びフィルムをラミネートして形成されたものが好ましく用いられる。なお、開口シート１５が不織布である場合は、撥水性であることが好ましく、これにより液持ちしにくくなり、さらっと感を向上させることができる。開口シート１５が親水度の高い不織布であると、排泄物の固形分は吸収体１３に移行されても、体液がおむつ本体１４の表面に拡散してしまう。
【００２７】
また、開口シート１５の全面には、ピンエンボス、ヒートエンボス、エアー吸収エンボス等の当分野で公知の種々の方法により、複数の微細な開口（メッシュ）２７が網目状に形成されている。なお、開口シート１５の構成材料が不織布単体であればピンエンボスが好ましく、フィルム、あるいは不織布及びフィルムのラミネートの場合は、ヒートエンボスやエアー吸収エンボスが好ましい。
【００２８】
この開口２７は、図３に示すように、断面形状を略逆台形状とすることが好ましい。これにより一旦開口シート１５を通過しトップシート１１に移行した体液が逆戻りしにくくなる。なお、略逆台形状とは、平面形状における開口２７の直径が、開口シート１５の表面側よりも裏面側の方が小さい形状をいう。
【００２９】
また、開口２７の大きさは表面側の直径が１．０〜５．０ｍｍ、高さが０．１〜５．０ｍｍに設定されている。なお、開口２７の平面形状は、図示するような円状、あるいは楕円状のものが好ましいが、特に限定されるものではないので星形状等の公知の種々の形状に適宜設計変更することもできる。
【００３０】
上記のように構成された開口シート１５であると、吸収スピードを上げることができるので、体液を素早く吸収体１３へ移行させることができ、開口シート１５上に排泄物、特に体液が保水することがなくなるとともに、一旦吸収した排泄物が逆戻りしにくくなるので、本おむつ１０のさらっと感を向上させることができ、またカブレ及び横漏れの発生を防止することができる。
【００３１】
また、本おむつ１０においては、体液が表面シート２６のうち開口シート１５が配設されていない部分に流れ出たとしても、体液はトップシート１１の両側部より吸収され、吸収体１３に移行される。従って、体液がおむつ本体１４から漏れ出ること、すなわち横漏れを防止することができる。
【００３２】
なお、本おむつ１０のように、開口シート１５をトップシート１１の表面に間欠に貼り合わせて表面シート２６を形成する場合（トップシート１１の略全面に開口シート１５が貼着されない場合）、開口シート１５の割合面積が２５％以上であると、排尿口付近における体液の吸収スピードを維持することができ、さらっと感を保つことができるので好ましい。
【００３３】
このようにトップシート１１の表面に開口シート１５を貼り合わせて表面シート２６を形成することによって、本おむつ１０のさらっと感を向上させることができる。すなわち、トップシート１１の表面に開口シート１５を貼り合わせて形成した表面シート２６が用いられている本おむつ１０と、トップシート１１のみによって形成した表面シート２６（開口シート１５が貼り合わされていない）が用いられている紙おむつとを作製し、これらの各おむつに人工尿を５０ｃｃ注入する。注入後５分経過したとき、及び３０分経過したときに、各おむつの表面に１０ｃｍ四方当たり１ｋｇの荷重を１分間かけ、おむつの内部から戻る（逆戻りする）人工尿の量を測定してさらっと感を評価すると、本おむつ１０の場合、逆戻りする人工尿の量は、５分後は０．０５８ｃｃ、３０分後は０．０３３ｃｃであった。一方、表面に開口シート１５を設けなかった紙おむつの場合、５分後は０．０６５ｃｃ、３０分後は０．０４９ｃｃであった。これにより本おむつ１０は、開口シート１５を設けなかった紙おむつに比べて、排尿５分後のさらっと感を１０．８％向上させることができ、排尿後３０分後のさらっと感を３２．７％向上させることができることが分かった。
【００３４】
また、トップシート１１及び開口シート１５は、ホットメルト接着、ヒートシール接着、あるいは超音波接着等、当分野で公知の種々の接着方法により接着することができるが、超音波接着により接着されることが最も好ましい。
【００３５】
なお、ホットメルト接着により貼り合わせる場合、開口２７からホットメルト接着剤が染み出すことを防止するため、開口シート１５側にホットメルト接着剤を塗布することが好ましい。また、塗布方法は、塗出部が接着するスロットコーティングが望ましいが、スロットコーティングの目付けが高くなると、親水性不織布であるトップシート１１の浸水能力が低下してしまい、おむつ本体１４の表面に体液が流れやすくなる。
【００３６】
また、ヒートシール接着により貼り合わせる場合、トップシート１１と開口シート１５との接着部分（以下、単に「接着部分」と言う。）は両シート１１，１５が融着している。従って、接着部分は硬くなり、体液を透過させることができないため、接着面積は極力小さい方が良い。しかし、この接着面積が小さいと、接着強度が低くなるため、使用時に開口シート１５がトップシート１１から剥がれる可能性がある。
【００３７】
さらにまた、超音波接着により貼り合わせる場合、接着部分は多少硬くなるが、上述したヒートシール接着による場合よりも硬くならないため、接着部分であっても体液を透過させることができる。従って、接着面積を大きくすることが可能であるため、接着強度を高くすることができ、使用時に開口シート１５がトップシート１１から剥がれることもない。
【００３８】
ここで、接着強度は、表面シート２６を４０ｍｍ幅にカットして試料を作成し、この試料のトップシート１１及び開口シート１５が、剥離スピード５００ｍｍ／ｓｅｃで剥離する強度を測定した場合に５０ｇ／４０ｍｍ幅以上であれば、本おむつ１０の実使用で問題がない。
【００３９】
なお、開口シート１５の平面形状は、図示するような矩形状のものに限定されるものではなく、楕円状等に適宜設計変更することができる。
【００４０】
立体ギャザー１８を形成するギャザーシート１６としては、撥水性を有する不織布、あるいはプラスチックフィルム等が排泄物の漏れ防止の点で効果的である。従って、この素材にはかかる特性を有するもの、あるいはこれらの特性を加工により付与したものが選ばれる。
【００４１】
弾性伸縮部材１７ｇ，１７ｌ，１７ｗには、通常、糸状弾性ゴムが適用される。このようなゴム材としては、スチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。なお、この伸縮部材１７ｇ，１７ｌ，１７ｗの形成材料は必ずしも上記材料に限定されるものではなく、例えば熱可塑性エラストマー、プラスチックシート、ゴムシート等の伸縮性を有する公知の種々のものを用いることができる。特に熱可塑性エラストマーを用いることが好ましく、この熱可塑性エラストマーとしては、例えばスチレン系エラストマー、オレフィン系エラストマー、ポリブタジエン系エラストマー、ポリエステル系エラストマー、ポリアミド系エラストマー、ウレタン系エラストマー、塩化ビニル系エラストマー、フッ素系エラストマー、アイオノマー樹脂、シリコーン系樹脂等の公知の種々のものを用いることができる。なお、これらの熱可塑性エラストマーは単独で用いてもよいが２種以上を混合して用いてもよく、またこれらの中でも特に、スチレン系エラストマー又はオレフィン系エラストマーを用いることが好ましい。
【００４２】
上述したように構成された本おむつ１０によれば、吸収スピードを上げることができるので、排泄物、特に排尿口から排泄された尿は、開口シート１５の開口２７を通り抜け、親水性不織布であるトップシート１１に浸水し、吸水紙２５を介して吸収体１３に瞬時に移行し、保持される。また、開口シート１５が、トップシート１１の表面で、おむつ本体１４の幅方向における中央部に、長手方向に延びて貼り合わされている。これにより、排尿直後であっても本おむつ１０の表面、特にカブレが発生し易い排尿口付近及び体液が流れる領域の表面はさらっとしている。
【００４３】
また、開口シート１５の開口の断面形状を略逆台形状としたので、一旦開口シート１５を通過した体液が逆戻りすることを防止することができ、さらっと感をより向上させることができる。
【００４４】
また、体液が表面シート２６上に保水しにくいので、特に使用後のおむつの廃棄時において、見た目から与えられる不快感を減少させる効果も期待できる。
【００４５】
さらにまた、体液が流れる領域の表面シート２６が、開口シート１５とトップシート１１とにより２重に構成されているので、この領域の強度が増加し、これにより操業性が安定するという利点もある。
【００４６】
以上、本発明の内容を一実施形態に基づいて説明したが、本発明はその構成を以下のとおり種々なものに変更することができる。
【００４７】
図５は、本発明の第２実施形態に係る使い捨てのパンツ型おむつ（以下、「本おむつ１０′」と言う。）を展開して上面から見た一部破断平面図であり、図６は図５に示す本おむつ１０′の使用時における斜視図であり、図７は図５のＣ−Ｃ断面図で、上述した第１実施形態に係るおむつ１０の幅方向における断面図（図４）に準じて示したものである。本おむつ１０′の基本的な構成は、表面シート２６の構成を除き、前記おむつ１０と実質的に同一であるので、以下では対応する構成要素には、同一の符号を付して説明する。
【００４８】
本おむつ１０′は、図示するように表面シート２６が、トップシート１１の表面の略全面に、おむつ本体１４の長手方向に延びて矩形状の開口シート１５を貼り合わせることによって形成されて構成されている。
【００４９】
このように形成された本おむつ１０′によっても、吸収スピードを上げることができるので、排泄物、特に排尿口から排泄された尿は、開口シート１５の開口２７を通り抜け、親水性不織布であるトップシート１１に浸水し、吸水紙２５を介して吸収体１３に瞬時に移行し、保持される。従って、排尿直後であっても本おむつ１０′の表面はさらっとしており、カブレの発生を防止することができる。
【００５０】
図８は、本発明の第３実施形態に係る使い捨てのテープ式おむつ（以下、「本おむつ１０′′」と言う。）を展開して表面側から見た平面図、図９は図８のＤ−Ｄ断面図で、上述した第１実施形態に係るおむつ１０の長手方向における断面図（図３）に準じて示したものである。なお、本おむつ１０′′の基本的な構成は、上述したおむつ１０′と同様に、表面シート２６の構成を除き、上記おむつ１０と実質的に同一であるので、以下では対応する構成要素には、同一の符号を付して説明する。
【００５１】
すなわち、図示するように、本おむつ１０′′は、トップシート１１の表面で、かつおむつ本体１４の腹部側領域１０ＦＰにおける略中央部のみ、具体的には使用者の排尿口が位置する部位にのみ、矩形状の開口シート１５が貼り合わされて表面シート２６が形成されて構成されている。なお、本おむつ１０′′における開口シートは、図示するような矩形状のものに限らず、この他、円状、楕円状、星形状等、公知の種々の形状に適宜設計変更することができる。
【００５２】
このように形成された本おむつ１０′′によれば、開口シート１５の大きさが、使用者の排尿口が位置する部位の大きさと必要最低限ですむので、製造コストをさらに低くすることができるという利点がある。
【００５３】
また、本おむつ１０′′においても、開口シート１５が使用者の排尿口が位置する部位に配設されているので、排尿口付近の吸水スピードを上げることができ、体液が表面シート２６上に保水することが殆どない。従って、本おむつ１０′′のさらっと感を向上させることができ、また、特におむつの廃棄時において、見た目から与えられる不快感を減少させる効果を得ることができる。
【産業上の利用可能性】
【００５４】
以上、本発明の内容を幼児用あるいは大人用の使い捨て紙おむつについて説明したが、本発明は、このような使い捨ておむつに限らず、失禁パッドや、幼児用のトレーニングパンツ等の、当分野で公知の種々の吸収性物品に適用することができるものである。
【図面の簡単な説明】
【００５５】
【図１】本発明の第１実施形態に係る使い捨てのテープ式おむつの展開平面図である。
【図２】図１に示すおむつの使用時における斜視図である。
【図３】図１のＡ−Ａ断面矢視図である。
【図４】図１のＢ−Ｂ断面矢視図である。
【図５】本発明の第２実施形態に係る使い捨てのパンツ型おむつの展開平面図である。
【図６】図５に示すおむつの使用時における斜視図である。
【図７】図５のＣ−Ｃ断面矢視図である。
【図８】本発明の第３実施形態に係る使い捨てのテープ式おむつの展開平面図である。
【図９】図８のＤ−Ｄ断面矢視図である。
【符号の説明】
【００５６】
１０，１０′，１０′′          使い捨ておむつ（吸収性物品）
１１                            トップシート
１２                            バックシート
１３                            吸収体
１４                            物品本体
１５                            開口シート
２４                            防水フィルム
２５                            吸水紙
２６                            表面シート
２７                            開口
１０ＦＰ                        腹部側領域
【図１】
2006204761.tif 000003
【図２】
2006204761.tif 000004
【図３】
2006204761.tif 000005
【図４】
2006204761.tif 000006
【図５】
2006204761.tif 000007
【図６】
2006204761.tif 000008
【図７】
2006204761.tif 000009
【図８】
2006204761.tif 000010
【図９】
2006204761.tif 000011